(57)【要約】      （修正有）【課題】集客効果を高めるために、ユーザへの有用情報提供装置を提供する。【解決手段】ユーザによって携帯される通信端末の位置に基づいて、集客を目的とする施設毎に予め設定された条件を満たすか否か判定し、施設と通信端末の位置との距離が所定の値以内である場合など、条件が満たされる場合に、通信端末と施設との距離に応じて複数の提供情報が登録された情報提供記憶部から距離に応じた前記提供情報を取得し、通信端末に対して情報を提供する。【選択図】図１
2015149022.tif 000002
【特許請求の範囲】
【請求項１】
ユーザによって携帯される通信端末の位置に基づいて、集客を目的とする施設毎に予め設定された条件を満たすか否か判定し、前記条件が満たされる場合に、前記通信端末に対して情報を提供する情報提供部を備える情報提供装置。
【請求項２】
前記情報提供部は、前記施設と前記通信端末の位置との距離が所定の値以内である場合に前記条件を満たすと判定し、前記施設に近いことを示す情報を前記通信端末に対して提供する、請求項１に記載の情報提供装置。
【請求項３】
前記情報提供部は、予めユーザによって目的地として設定されている施設と前記通信端末の位置との距離が所定の値以内である場合に前記条件を満たすと判定する、請求項２に記載の情報提供装置。
【請求項４】
前記情報提供部は、前記ユーザが前記施設と競合関係にある他の施設に向かっていると推定される場合に前記条件を満たすと判定し、前記施設に関する情報を前記通信端末に対して提供する、請求項１に記載の情報提供装置。
【請求項５】
前記情報提供部は、前記通信端末と前記施設との間の距離が所定の値以内である場合に前記条件を満たすと判定し、前記通信端末と前記施設との距離に応じて複数の提供情報が登録された情報提供記憶部から前記距離に応じた前記提供情報を取得し、前記通信端末に対して提供する、請求項１に記載の情報提供装置。
【請求項６】
ユーザによって携帯される通信端末の位置に基づいて、集客を目的とする施設毎に予め設定された条件を満たすか否か判定し、前記条件が満たされる場合に、前記通信端末に対して情報を提供する情報提供ステップを有する情報提供方法。
【発明の詳細な説明】
【技術分野】
【０００１】
本発明は、ユーザに対し情報を提供するための技術に関する。
【背景技術】
【０００２】
従来、無線ＬＡＮ（Local Area Network）を介してユーザにインターネットへの接続を可能にするサービスが提供されている（例えば、特許文献１参照）。ユーザは、所持している通信端末を操作することによって、上記の無線ＬＡＮを介してインターネットにアクセスすることができる。このような無線ＬＡＮを店舗に設置することによって、店舗への集客効果を高める試みもなされている。
【先行技術文献】
【特許文献】
【０００３】
【特許文献１】特開２０１３−２５８５９３号公報
【発明の概要】
【発明が解決しようとする課題】
【０００４】
しかしながら、店舗への集客効果をさらに高める技術が要求されている。このような要求は、店舗以外の施設や、地域（商店街、温泉、行政区域など）においても存在する。
上記事情に鑑み、本発明は、集客効果を高める技術の提供を目的としている。
【課題を解決するための手段】
【０００５】
本発明の一態様は、ユーザによって携帯される通信端末の位置に基づいて、集客を目的とする施設毎に予め設定された条件を満たすか否か判定し、前記条件が満たされる場合に、前記通信端末に対して情報を提供する情報提供部を備える情報提供装置である。
【０００６】
本発明の一態様は、上記の情報提供装置であって、前記情報提供部は、前記施設と前記通信端末の位置との距離が所定の値以内である場合に前記条件を満たすと判定し、前記施設に近いことを示す情報を前記通信端末に対して提供する。
【０００７】
本発明の一態様は、上記の情報提供装置であって、前記情報提供部は、予めユーザによって目的地として設定されている施設と前記通信端末の位置との距離が所定の値以内である場合に前記条件を満たすと判定する。
【０００８】
本発明の一態様は、上記の情報提供装置であって、前記情報提供部は、前記ユーザが前記施設と競合関係にある他の施設に向かっていると推定される場合に前記条件を満たすと判定し、前記施設に関する情報を前記通信端末に対して提供する。
【０００９】
本発明の一態様は、上記の情報提供装置であって、前記情報提供部は、前記通信端末と前記施設との間の距離が所定の値以内である場合に前記条件を満たすと判定し、前記通信端末と前記施設との距離に応じて複数の提供情報が登録された情報提供記憶部から前記距離に応じた前記提供情報を取得し、前記通信端末に対して提供する。
【００１０】
本発明の一態様は、ユーザによって携帯される通信端末の位置に基づいて、集客を目的とする施設毎に予め設定された条件を満たすか否か判定し、前記条件が満たされる場合に、前記通信端末に対して情報を提供する情報提供ステップを有する情報提供方法である。
【発明の効果】
【００１１】
本発明により、集客効果を高めることが可能となる。
【図面の簡単な説明】
【００１２】
【図１】通信システム１のシステム構成を表すシステム構成図である。
【図２】通信端末１０の機能構成を表す概略ブロック図である。
【図３】情報提供装置５０の機能構成を示す概略ブロック図である。
【図４】第一実施形態における通信システム１の処理の概略を示す図である。
【図５】第一実施形態において、提供情報が通信端末１０の出力部１０４に表示される画面の具体例を示す図である。
【図６】第一実施形態における条件テーブルの具体例を示す図である。
【図７】第一実施形態における提供情報テーブルの具体例を示す図である。
【図８】第一実施形態における通信システム１の処理の流れを表すシーケンスチャートである。
【図９】第一実施形態における通信システム１の処理の流れを表すシーケンスチャートである。
【図１０】第二実施形態における通信システム１の処理の概略を示す図である。
【図１１】第二実施形態において、提供情報が通信端末１０の出力部１０４に表示される画面の具体例を示す図である。
【図１２】第二実施形態における条件テーブルの具体例を示す図である。
【図１３】第二実施形態における通信システム１の処理の流れを表すシーケンスチャートである。
【図１４】第二実施形態の変形例における通信システム１の処理の概略を示す図である。
【図１５】第三実施形態における通信システム１の処理の概略を示す図である。
【図１６】第三実施形態において、提供情報が通信端末１０の出力部１０４に表示される画面の具体例を示す図である。
【図１７】第三実施形態における条件テーブルの具体例を示す図である。
【図１８】第三実施形態における提供情報テーブルの具体例を示す図である。
【図１９】第三実施形態における通信システム１の処理の流れを表すシーケンスチャートである。
【発明を実施するための形態】
【００１３】
［システム構成］
図１は、通信システム１のシステム構成を表すシステム構成図である。
通信端末１０は、ユーザ２０によって携帯される通信装置である。通信端末１０は、例えば携帯電話機、スマートフォン、タブレット、携帯型ゲーム機である。通信端末１０は、基地局装置３０と無線通信可能である。通信端末１０は、基地局装置３０及びネットワーク４０を介して情報提供装置５０と通信する。
【００１４】
ユーザ２０は、通信端末１０を携帯する。
基地局装置３０は、通信端末１０とネットワーク４０との間の通信を中継する装置である。基地局装置３０は、例えば携帯通信網の基地局装置である。
ネットワーク４０は、基地局装置３０と情報提供装置５０とを通信可能に接続するネットワークである。ネットワーク４０は、例えば３Ｇ（第三世代）ネットワークやＬＴＥ（Long Term Evolution）等の携帯通信網を含むネットワークである。
【００１５】
情報提供装置５０は、ネットワーク４０を介し、通信端末１０に対して情報を送信する。情報提供装置５０は、サーバやパーソナルコンピュータ等の情報処理装置を用いて構成される。
【００１６】
図２は、通信端末１０の機能構成を表す概略ブロック図である。通信端末１０は、バスで接続されたＣＰＵ（Central Processing Unit）やメモリや補助記憶装置などを備える。通信端末１０は、情報取得プログラムを実行することによって、通信部１０１、位置情報取得部１０２、入力部１０３、出力部１０４及び制御部１０５を備える装置として機能する。なお、通信端末１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。情報取得プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。情報取得プログラムは、電気通信回線を介して提供されても良い。
【００１７】
通信部１０１は、基地局装置３０を経由してネットワーク４０と無線通信する。例えば、通信部１０１は、基地局装置３０との間で３Ｇ又はＬＴＥで通信を行ってもよい。
位置情報取得部１０２は、通信端末１０の現在の位置情報を取得する。位置情報取得部１０２は、例えば衛星測位システムや携帯電話網の基地局（例えば基地局装置３０）との通信などによって現在位置の位置情報を取得する。衛星測位システムの具体例として、ＧＰＳ（Global Positioning System）やＧａｌｉｌｅｏ等がある。位置情報取得部１０２は、取得した位置情報を制御部１０５へ出力する。
【００１８】
入力部１０３は、キーボード、ポインティングデバイス（マウス、タブレット等）、ボタン、タッチパネル等の既存の入力装置を用いて構成される。入力部１０３は、ユーザの指示を通信端末１０に入力する際にユーザによって操作される。入力部１０３は、入力装置を通信端末１０に接続するためのインタフェースであっても良い。この場合、入力部１０３は、入力装置においてユーザの入力に応じ生成された入力信号を通信端末１０に入力する。
【００１９】
出力部１０４は、通信端末１０に設けられた出力装置であり、通信端末１０のユーザに対してデータの出力を行う。出力装置は、例えば画像や文字を画面に出力する装置を用いて構成されても良い。例えば、出力装置は、ＣＲＴ（Cathode Ray Tube）や液晶ディスプレイや有機ＥＬ（Electro-Luminescent）ディスプレイ等を用いて構成できる。また、出力装置は、文字を音声に変換して出力する装置を用いて構成されても良い。この場合、出力装置は、音声合成装置及び音声出力装置（スピーカー）を用いて構成できる。
【００２０】
制御部１０５は、通信端末１０を制御する。例えば、制御部１０５は、入力部１０３に対するユーザ２０の操作に応じて送信データを生成し、生成された送信データを通信部１０１を介してネットワークへ送信する。例えば、制御部１０５は、情報提供装置５０から通信部１０１を介して受信された情報を出力部１０４に表示させる。
【００２１】
図３は、情報提供装置５０の機能構成を示す概略ブロック図である。情報提供装置５０は、１台又は複数台の情報処理装置によって構成される。例えば、情報提供装置５０が一台の情報処理装置で構成される場合、情報処理装置は、バスで接続されたＣＰＵやメモリや補助記憶装置などを備え、情報提供プログラムを実行する。情報提供プログラムの実行によって、情報処理装置は、通信部５０１、情報提供部５０２、条件記憶部５０３及び提供情報記憶部５０４を備える装置として機能する。なお、情報提供装置５０の各機能の全て又は一部は、ＡＳＩＣやＰＬＤやＦＰＧＡ等のハードウェアを用いて実現されても良い。また、情報提供装置５０は、専用のハードウェアによって実現されても良い。情報提供プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置等の可搬媒体、コンピュータシステムに内蔵されるハードディスクや半導体記憶装置等の記憶装置である。情報提供プログラムは、電気通信回線を介して提供されても良い。
【００２２】
通信部５０１は、ネットワーク４０を介して通信端末１０と通信する。
情報提供部５０２は、通信端末１０の位置に応じて、通信端末１０に対して提供情報を送信するか否か判定する。情報提供部５０２の判定処理は、条件記憶部５０３に記憶される条件に基づいて行われる。情報提供部５０２は、提供情報を送信すると判定した場合、提供情報記憶部５０４に記憶されている提供情報を、ネットワーク４０を介して通信端末１０に対し送信する。
【００２３】
条件記憶部５０３は、磁気ハードディスク装置や半導体記憶装置などの記憶装置を用いて構成される。条件記憶部５０３は、条件テーブルを記憶する。条件テーブルには、情報が提供される通信端末１０の位置に関する条件が定義されている。
提供情報記憶部５０４は、磁気ハードディスク装置や半導体記憶装置などの記憶装置を用いて構成される。提供情報記憶部５０４は、提供情報テーブルを記憶する。提供情報テーブルには、情報提供部５０２によって通信端末１０に提供される情報（以下、「提供情報」という。）が登録されている。
【００２４】
このように構成された通信システム１によれば、通信端末１０の位置（すなわち、ユーザ２０の位置）に応じて通信端末１０に対して情報が提供される。そのため、位置に応じた適切な情報を提供情報テーブルに定義することによって、集客効果を高めることが可能となる。以下、通信システム１の具体例について説明する。
【００２５】
［第一実施形態］
図４は、第一実施形態における通信システム１の処理の概略を示す図である。第一実施形態では、ユーザ２０が訪れようとしている目的地の施設（図４の例では“Ｘそば店”）から所定の距離内に位置することが条件として定義される。図４の例では、“Ｘそば店”を中心とした半径５００メートルの円７１の内側に位置することが条件として定義される。通信端末１０を携帯したユーザ２０が、円７１の内側に位置する場合、情報提供装置５０は通信端末１０に対して提供情報を送信する。提供情報の具体例として、ユーザ２０が目的地の近くに位置していることを表す情報がある。
【００２６】
図５は、第一実施形態において、提供情報が通信端末１０の出力部１０４に表示される画面の具体例を示す図である。図５の例では、出力部１０４の表示画面に、ポップアップウィンドウ８１が表示されている。ポップアップウィンドウ８１の内部には、ユーザ２０が目的地の施設（図５の例では“Ｘそば店”）の近くに位置していることを表す文字列が表示される。このようなポップアップウィンドウ８１は、制御部１０５による制御によって出力部１０４に表示される。ポップアップウィンドウ８１は、例えばその時点でユーザによって操作されていた画面よりも上のレイヤ（最上面のレイヤ）に表示されてもよい。その場合、ポップアップウィンドウ８１以外の領域がグレーアウトされてもよい。
【００２７】
図６は、第一実施形態における条件テーブルの具体例を示す図である。第一実施形態では、集客効果を高める対象となっている施設（以下、「集客施設」という。）毎に、提供情報が送信される領域が登録される。図６の例では、条件テーブルは複数のレコード９１を有する。レコード９１は、ＦＩＤ、位置情報及び提供範囲の値を有する。ＦＩＤの値は、集客施設を一意に表す識別情報である。位置情報は、同じレコード９１のＦＩＤが示す集客施設の位置を表す情報である。位置情報は、例えば緯度及び経度の値で表されてもよいし、住所によって表されてもよい。提供範囲は、同じレコード９１のＦＩＤが示す集客施設に関する提供情報を提供する領域の範囲を表す。図６の例では、提供範囲は、集客施設を中心とした円の半径の長さを表す。
【００２８】
図７は、第一実施形態における提供情報テーブルの具体例を示す図である。第一実施形態では、集客施設毎に、通信端末１０に送信される情報（提供情報）が登録される。図７の例では、提供情報テーブルは複数のレコード９２を有する。レコード９２は、ＦＩＤ及び提供情報の値を有する。ＦＩＤの値は、集客施設を一意に表す識別情報である。提供情報は、同じレコード９２のＦＩＤについて条件テーブルに定義された領域内に位置する通信端末１０に送信される情報の内容を表す情報である。提供情報は、例えば集客施設の近くにユーザ２０が位置していることをユーザ２０に通知するための文や画像を表す情報であってもよい。
【００２９】
図６の最も上に位置するレコード９１と、図７の最も上に位置するレコード９２によれば、Ｘそば店の位置（ｘ１，ｙ１）を中心とした半径２００メートルの円（図４の円７１）の内側に位置する通信端末１０に対して、ｔｘｔ１で表される提供情報が送信されることがわかる。ｔｘｔ１で表される提供情報は、例えば図５に示される文字の情報であってもよい。
【００３０】
図６の上から２番目に位置するレコード９１と、図７の最も上に位置するレコード９２によれば、Ｙ温泉の位置（ｘ２，ｙ２）を中心とした半径５００メートルの円の内側に位置する通信端末１０に対して、ｔｘｔ２で表される提供情報が送信されることがわかる。
【００３１】
図８及び図９は、第一実施形態における通信システム１の処理の流れを表すシーケンスチャートである。
まず、図８を用いて、目的地を表す情報が情報提供装置５０に登録される処理について説明する。
【００３２】
ユーザ２０は、通信端末１０の入力部１０３を操作することによって、自身が訪れようとしている目的地を表す情報（目的地情報：例えばＦＩＤ）を入力する。通信端末１０の制御部１０５は、入力部１０３を介して目的地情報を取得する（ステップＳ１０１）。制御部１０５は、目的情報を情報提供装置５０に通知するための情報（目的地情報通知）を生成する。目的地情報通知は、通信端末１０の識別情報（以下、「端末識別情報」という。）と、目的地情報とを含む。制御部１０５は、通信部１０１を介して情報提供装置５０に目的地情報通知を送信する（ステップＳ１０２）。
【００３３】
端末識別情報の具体例として、通信端末１０のアドレスや、アプリＩＤがある。アプリＩＤとは、通信端末１０にインストールされているアプリケーションに割り当てられている識別情報である。
情報提供装置５０の情報提供部５０２は、通信部５０１を介して通信端末１０から目的地情報通知を受信する。情報提供部５０２は、受信された目的地情報通知に含まれる目的地情報を、ユーザ２０の目的地として登録する（ステップＳ１０３）。情報提供部５０２は、不図示の目的地情報テーブルを記憶する。目的地情報テーブルは、ユーザ２０が携帯する通信端末１０の端末識別情報毎に、ユーザ２０の目的地情報を表すテーブルである。
【００３４】
次に、図９を用いて、提供情報が通信端末１０に提供される処理について説明する。
通信端末１０の位置情報取得部１０２が、所定のタイミング（例えば、一定時間間隔）で自装置の現在の位置情報を取得する。制御部１０５は、取得された位置情報を情報提供装置５０に通知するための情報（位置情報通知）を生成する。位置情報通知は、端末識別情報と、位置情報とを含む。制御部１０５は、通信部１０１を介して情報提供装置５０に位置情報通知を送信する（ステップＳ２０１）。
【００３５】
情報提供装置５０の情報提供部５０２は、通信部５０１を介して通信端末１０から位置情報通知を受信する。情報提供部５０２は、受信された位置情報通知に含まれる端末識別情報及び位置情報に応じて、提供判定処理を実行する（ステップＳ２０２）。提供判定処理は、位置情報通知の送信元である通信端末１０に対して提供情報を送信するか否かを判定する処理である。以下、第一実施形態における提供判定処理について説明する。
【００３６】
まず、情報提供部５０２は、取得された端末識別情報に対応付けて登録されている目的地情報（ＦＩＤ）を取得する。情報提供部５０２は、条件テーブルを参照することにより、目的地情報が表すＦＩＤのレコード９１を取得する。情報提供部５０２は、取得されたレコード９１の位置情報及び提供範囲によって表される領域内に、位置情報通知の位置情報が表す地点が位置しているか否か判定する。領域内に位置している場合（ステップＳ２０３−ＹＥＳ）、すなわちユーザ２０が目的地に接近していると判定できる場合、情報提供部５０２は、提供情報テーブルを参照することにより、目的地情報が表すＦＩＤに対応付けられた提供情報を取得する。情報提供部５０２は、取得された提供情報を、位置情報通知の送信元である通信端末１０に送信する（ステップＳ２０４）。
【００３７】
通信端末１０は、提供情報を受信すると、受信された提供情報を出力部１０４の画面に表示する（ステップＳ２０５）。
なお、ステップＳ２０３の処理において、取得されたレコード９１の位置情報及び提供範囲によって表される領域内に、位置情報通知の位置情報が表す地点が位置していないと判定された場合（ステップＳ２０３−ＮＯ）、情報提供部５０２は提供情報を送信しない。
【００３８】
このように構成された第一実施形態における通信システム１によれば、ユーザ２０が自ら設定した目的地に近づいた際に、ユーザ２０に対して目的地に関する情報が提供される。そのため、目的地として設定された集客施設は、ユーザ２０が目的地の施設に接近したことに気がつかずに通り過ぎてしまうなどの来客の機会の喪失を防止することが可能となる。すなわち、来客の機会の喪失を防止し、集客効果を高めることが可能となる。
【００３９】
＜変形例＞
ユーザ２０が訪れようとしている目的地の施設に限らず、全ての施設に関して通信端末１０の位置が所定の距離内に位置するか否かが条件として定義されてもよい。このように構成された場合、ユーザが目的地として設定しているか否かに関わらず、通信端末１０から所定の距離以内に位置する施設についての提供情報がユーザ２０に提供される。そのため、ユーザが目的地として設定していない施設に関しても、接近してきたユーザ２０に対して提供情報を送信し、訪問を促すことが可能となる。
提供範囲は、集客施設を中心とした円の半径の物理的な長さ（距離）を表すのではなく、他の値によって表されてもよい。例えば、円の半径は、交通機関や徒歩による集客施設までの移動時間を表してもよい。例えば円の半径が３０分であれば、集客施設まで３０分以内に移動が可能な地域が提供範囲として定義されることになる。
【００４０】
［第二実施形態］
図１０は、第二実施形態における通信システム１の処理の概略を示す図である。第二実施形態では、集客施設（図１０の例では“Ｘそば店”）の競合施設へ向かっていると推定されることが条件として定義される。図１０の例では、“Ｘそば店”の競合施設として予め設定されている“Ｎそば店”又は“Ｒラーメン店”にユーザ２０が向かっていると推定されることが条件として定義される。
【００４１】
例えば、通信端末１０の位置が競合施設から所定の距離内に位置する場合に、ユーザ２０が競合施設に向かっていると推定されてもよい。図１０の例では、ユーザ２０の位置が、競合施設であるＮそば店の位置（ｘ１１，ｙ１１）を中心とした半径２００メートルの円７２の内側に位置する場合に、ユーザ２０が競合施設であるＮそば店に向かっていると推定される。
【００４２】
通信端末１０のユーザ２０が競合施設に向かっていると判定された場合、情報提供装置５０は通信端末１０に対して提供情報を送信する。提供情報の具体例として、集客施設に関する情報がある。
【００４３】
図１１は、第二実施形態において、提供情報が通信端末１０の出力部１０４に表示される画面の具体例を示す図である。図１１の例では、出力部１０４の表示画面に、ポップアップウィンドウ８１が表示されている。ポップアップウィンドウ８１の内部には、ユーザ２０が向かっていると推定される施設と競合する（すなわち、類似する商品又はサービスを提供する）施設である集客施設（図１１の例では“Ｘそば店”）に関する情報であって、顧客吸引力がある文字列が表示される。
【００４４】
図１２は、第二実施形態における条件テーブルの具体例を示す図である。第二実施形態では、集客施設毎に、競合施設の位置を表す情報が登録される。図１２の例では、条件テーブルは複数のレコード９３を有する。レコード９３は、ＦＩＤと、１つ以上の競合施設位置情報（競合施設１、競合施設２、競合施設３、・・・）の値を有する。ＦＩＤの値は、集客施設を一意に表す識別情報である。競合施設位置情報は、同じレコード９３のＦＩＤが示す集客施設の競合施設の位置を表す情報である。競合施設位置情報は、例えば緯度及び経度の値で表されてもよいし、住所によって表されてもよい。
【００４５】
第二実施形態における提供情報テーブルは、第一実施形態における提供情報テーブルと同様に構成されてもよい。そのため、第二実施形態における提供情報テーブルの具体例についての説明は省略する。
【００４６】
図１３は、第二実施形態における通信システム１の処理の流れを表すシーケンスチャートである。図１３を用いて、第二実施形態において提供情報が通信端末１０に提供される処理について説明する。
【００４７】
通信端末１０の位置情報取得部１０２が、所定のタイミング（例えば、一定時間間隔）で自装置の現在の位置情報を取得する。制御部１０５は、取得された位置情報を情報提供装置５０に通知するための情報（位置情報通知）を生成する。位置情報通知は、端末識別情報と、位置情報とを含む。制御部１０５は、通信部１０１を介して情報提供装置５０に位置情報通知を送信する（ステップＳ３０１）。
【００４８】
情報提供装置５０の情報提供部５０２は、通信部５０１を介して通信端末１０から位置情報通知を受信する。情報提供部５０２は、受信された位置情報通知に含まれる位置情報に応じて、提供判定処理を実行する（ステップＳ３０２）。提供判定処理は、位置情報通知の送信元である通信端末１０に対して提供情報を送信するか否かを判定する処理である。以下、第二実施形態における提供判定処理について説明する。
【００４９】
まず、情報提供部５０２は、条件テーブルを参照することにより、各競合施設の位置と、取得された位置情報との距離を算出する。算出された距離が、予め設定されている所定の距離よりも短い場合（ステップＳ３０３−ＹＥＳ）、すなわちユーザ２０が競合施設に向かっていると判定できる場合、情報提供部５０２は、その距離が算出された競合施設位置情報に対応付けられたＦＩＤを取得する。情報提供部５０２は、提供情報テーブルを参照することにより、取得されたＦＩＤに対応付けられた提供情報を取得する。情報提供部５０２は、取得された提供情報を、位置情報通知の送信元である通信端末１０に送信する（ステップＳ３０４）。
【００５０】
通信端末１０は、提供情報を受信すると、受信された提供情報を出力部１０４の画面に表示する（ステップＳ３０５）。
なお、ステップＳ３０３の処理において、算出された距離が、予め設定されている所定の距離よりも短い場合（ステップＳ３０３−ＮＯ）、情報提供部５０２は提供情報を送信しない。
【００５１】
このように構成された第二実施形態における通信システム１によれば、予め条件テーブルに登録されている競合施設にユーザ２０が向かっていると推定された際に、ユーザ２０に対して、ユーザ２０が向かっていると推定される施設に競合する集客施設に関する情報が提供される。そのため、競合施設に向かっていたユーザ２０を集客施設が客として取得できる可能性が向上する。すなわち、集客施設は、他の競合施設に客を奪われる機会を減少させ、自施設への集客効果を高めることが可能となる。
【００５２】
＜変形例＞
ユーザ２０が競合施設に向かっているか否かに関する判定処理は、他の基準に基づいて行われてもよい。例えば、情報提供装置５０の条件テーブルとして、競合施設への導線を表す車道や歩道の位置情報が登録されてもよい。図１４は、第二実施形態の変形例における通信システム１の処理の概略を示す図である。図１４では、破線で示される道路は、競合施設（Ｎそば店）への導線として定義された道路である。通信端末１０の位置情報が、競合施設への導線上に位置する場合に、ユーザ２０が競合施設に向かっていると推定されてもよい。
例えば、情報提供装置５０の条件テーブルとして、競合施設への導線を表す車道や歩道の分岐点の位置情報が登録されてもよい。この場合、条件テーブルに登録されている分岐点に到達したユーザ２０が、競合施設に向かっていると推定される。
【００５３】
［第三実施形態］
図１５は、第三実施形態における通信システム１の処理の概略を示す図である。図１５において、符号７６が表す曲線は、海岸線を表している。また、図１５にいて斜線で示される領域は海を表し、残りの領域は陸地を表している。第三実施形態では、集客施設（図１５の例では“Ｙ温泉”）から所定の距離内に位置することが条件として定義される。所定の距離は複数種類定義される。例えば、図１５の例では、Ｙ温泉から相対的に最も遠くに位置する領域（第一領域：円７３から円７４までの領域）と、Ｙ温泉から第一領域よりも近くに位置する領域（第二領域：円７４から円７５までの領域）と、Ｙ温泉から最も近くに位置する領域（第三領域：円７５から内側の領域）とが定義されている。
【００５４】
図１６は、第三実施形態において、提供情報が通信端末１０の出力部１０４に表示される画面の具体例を示す図である。図１６の例では、出力部１０４の表示画面に、ポップアップウィンドウ８１が表示されている。ポップアップウィンドウ８１の内部には、集客施設に関する情報を表す文字列が表示される。
第三実施形態では、集客施設とユーザの位置との間の距離に応じて、集客施設毎に複数の提供情報が定義される。
【００５５】
図１６（Ａ）は、ユーザ２０がＹ温泉の第一領域に位置している場合に表示される画面の具体例を示す。ユーザ２０が第一領域に位置している場合、相対的に遠い将来に関する情報が通信端末１０に提供される。例えば、翌月に関する情報が提供される。
【００５６】
図１６（Ｂ）は、ユーザ２０がＹ温泉の第二領域に位置している場合に表示される画面の具体例を示す。ユーザ２０が第二領域に位置している場合、相対的に中程度の将来に関する情報が通信端末１０に提供される。例えば、その週末に関する情報が提供される。
【００５７】
図１６（Ｃ）は、ユーザ２０がＹ温泉の第三領域に位置している場合に表示される画面の具体例を示す。ユーザ２０が第三領域に位置している場合、相対的に最も近い将来又は現在に関する情報が通信端末１０に提供される。例えば、当日に関する情報が提供される。
【００５８】
図１７は、第三実施形態における条件テーブルの具体例を示す図である。第三実施形態では、集客施設毎に、提供情報が送信される領域が複数登録される。図１７の例では、条件テーブルは複数のレコード９４を有する。レコード９４は、ＦＩＤ、位置情報及び複数の情報提供領域（第一領域、第二領域、第三領域）を有する。ＦＩＤの値は、集客施設を一意に表す識別情報である。位置情報は、同じレコード９４のＦＩＤが示す集客施設の位置を表す情報である。位置情報は、例えば緯度及び経度の値で表されてもよいし、住所によって表されてもよい。情報提供領域の各値は、同じレコード９４のＦＩＤが示す集客施設に関する提供情報を提供する領域の範囲を表す。図１７の例では、第一領域、第二領域及び第三領域の各値は、集客施設を中心とした円の半径の長さを表す。
【００５９】
図１８は、第三実施形態における提供情報テーブルの具体例を示す図である。第三実施形態では、集客施設及び情報提供領域の組み合わせ毎に、提供情報が登録される。図１８の例では、提供情報テーブルは複数のレコード９５を有する。レコード９５は、ＦＩＤ及び複数の提供情報（第一提供情報、第二提供情報及び第三提供情報）の値を有する。ＦＩＤの値は、集客施設を一意に表す識別情報である。提供情報は、同じレコード９５のＦＩＤについて条件テーブルに定義された領域内に位置する通信端末１０に送信される情報の内容を表す情報である。通信端末１０の位置が第一領域である場合、第一提供情報が提供される。通信端末１０の位置が第二領域である場合、第二提供情報が提供される。通信端末１０の位置が第三領域である場合、第三提供情報が提供される。第三提供情報は、第二提供情報よりも相対的に遠い将来に関する情報を表す。第二提供情報は、第一提供情報よりも相対的に遠い将来に関する情報を表す。
提供情報は、例えば集客施設の近くにユーザ２０が位置していることをユーザ２０に通知するための文や画像を表す情報であってもよい。
【００６０】
図１９は、第三実施形態における通信システム１の処理の流れを表すシーケンスチャートである。図１９を用いて、第三実施形態において提供情報が通信端末１０に提供される処理について説明する。
通信端末１０の位置情報取得部１０２が、所定のタイミング（例えば、一定時間間隔）で自装置の現在の位置情報を取得する。制御部１０５は、取得された位置情報を情報提供装置５０に通知するための情報（位置情報通知）を生成する。位置情報通知は、端末識別情報と、位置情報とを含む。制御部１０５は、通信部１０１を介して情報提供装置５０に位置情報通知を送信する（ステップＳ４０１）。
【００６１】
情報提供装置５０の情報提供部５０２は、通信部５０１を介して通信端末１０から位置情報通知を受信する。情報提供部５０２は、受信された位置情報通知に含まれる位置情報に応じて、提供判定処理を実行する（ステップＳ４０２）。提供判定処理は、位置情報通知の送信元である通信端末１０に対して提供情報を送信するか否かを判定する処理である。以下、第三実施形態における提供判定処理について説明する。
【００６２】
まず、情報提供部５０２は、条件テーブルを参照することにより、各集客施設の情報提供領域に、取得された位置情報が示す地点が位置しているか否か判定する。取得された位置情報が示す地点が位置する情報提供領域が存在する場合（ステップＳ４０３−ＹＥＳ）、その情報提供領域に対応付けられたＦＩＤを取得する。情報提供部５０２は、提供情報テーブルを参照することにより、取得されたＦＩＤと情報提供領域との組み合わせに対応付けられた提供情報を取得する。情報提供部５０２は、取得された提供情報を、位置情報通知の送信元である通信端末１０に送信する（ステップＳ４０４）。
【００６３】
通信端末１０は、提供情報を受信すると、受信された提供情報を出力部１０４の画面に表示する（ステップＳ４０５）。
なお、ステップＳ４０３の処理において、取得された位置情報が示す地点がいずれの情報提供領域にも位置していない場合（ステップＳ４０３−ＮＯ）、情報提供部５０２は提供情報を送信しない。
【００６４】
このように構成された第三実施形態における通信システム１によれば、予め条件テーブルに登録されている情報提供領域に応じた提供情報がユーザ２０に対して提供される。具体的には以下のとおりである。
【００６５】
ユーザ２０が、集客施設から相対的に最も遠い第一領域に位置している場合、相対的に遠い将来に関する情報が通信端末１０に提供される。一方、ユーザ２０が、集客施設から相対的に最も近い第三領域に位置している場合、相対的に最も近い将来又は現在に関する情報が通信端末１０に提供される。このように、集客施設からの距離に応じて、集客施設に関する適切な情報が提供される。そのため、より適切な情報を取得したユーザ２０を集客施設が客として取得できる可能性が向上する。すなわち、集客施設は、他の競合施設に客を奪われる機会を減少させ、自施設への集客効果を高めることが可能となる。
【００６６】
例えば、集客施設からの距離が相対的に遠い地点に位置しているユーザ２０は、すぐに集客施設に訪れる可能性は一般的に低いと言える。このような地点に位置しているユーザ２０に対しては、相対的に遠い将来に関する情報を提供することによって、短期間では難しくても長期間の間に集客施設への訪問を促すことが可能となる。一方、集客施設からの距離が相対的に近い地点に位置しているユーザ２０は、すぐに集客施設に訪れる可能性が一般的に高いと言える。このような地点に位置しているユーザ２０に対しては、相対的に近い将来又は現在に関する情報を提供することによって、すぐに集客施設に訪れることを積極的に促すことが可能となる。
【００６７】
以上、この発明の実施形態について図面を参照して詳述してきたが、具体的な構成はこの実施形態に限られるものではなく、この発明の要旨を逸脱しない範囲の設計等も含まれる。
【符号の説明】
【００６８】
１０…通信制御部，  ２０…ユーザ，  ３０…基地局装置，  ４０…ネットワーク，  ５０…情報提供装置，  １０１…通信部，  １０２…位置情報取得部，  １０３…入力部，  １０４…出力部，  １０５…制御部，  ５０１…通信部，  ５０２…情報提供部，  ５０３…条件記憶部，  ５０４…提供情報記憶部
【図１】
2015149022.tif 000003
【図２】
2015149022.tif 000004
【図３】
2015149022.tif 000005
【図４】
2015149022.tif 000006
【図５】
2015149022.tif 000007
【図６】
2015149022.tif 000008
【図７】
2015149022.tif 000009
【図８】
2015149022.tif 000010
【図９】
2015149022.tif 000011
【図１０】
2015149022.tif 000012
【図１１】
2015149022.tif 000013
【図１２】
2015149022.tif 000014
【図１３】
2015149022.tif 000015
【図１４】
2015149022.tif 000016
【図１５】
2015149022.tif 000017
【図１６】
2015149022.tif 000018
【図１７】
2015149022.tif 000019
【図１８】
2015149022.tif 000020
【図１９】
2015149022.tif 000021